(57)【要約】【課題】  従来、酸素を浴室に供給して、快適な入浴を楽しもうとした場合、ジェットバスシステム等の大掛かりなシステムが必要であるという課題を有していた。【解決手段】  ポンプ２０により浴槽２２の湯が循環する給湯装置１０の追い焚き循環回路１２に、酸素富化装置２３からの高濃度の酸素を混入させ追い焚きアダプタ２１より噴出可能な構成とし、各種運転モードによる燃焼開始や停止時には酸素富化運転を停止することで、排気リターンによるNOｘや臭気を浴室２９内へ導入することを防ぐと共に、酸素富化用の配管が不要なため安価に取り付けができて一般の家庭へ容易に設置でき、追い焚き操作で高濃度酸素供給と浴槽湯加熱が可能なため浴槽湯が冷却されることがない。【選択図】  図１
2005052467.tif 000002
【特許請求の範囲】
【請求項１】
給湯装置のポンプにより浴槽の湯が循環する追い焚き循環回路と、前記浴槽に設けた追い焚きアダプタと、前記給湯装置内部で高濃度の酸素を供給する酸素富化装置と、前記酸素富化装置からの高濃度の酸素を前記追い焚き循環回路に混入させる混入手段と、前記酸素富化装置を制御する制御手段と、酸素運転を入力できる外部入力装置とを有し、前記制御手段により前記追焚き循環回路に混入させた高濃度の酸素を前記追焚きアダプタより噴出させる酸素運転を行う際に、前記給湯装置が給湯運転を開始した場合には前記制御手段により数秒間酸素運転を停止する構成とした酸素富化給湯装置。
【請求項２】
給湯装置が給湯運転を開始した後停止した場合には前記制御手段により数秒間酸素運転を停止する請求項１記載の酸素富化給湯装置。
【請求項３】
外部入力装置の酸素運転スイッチの入力をうけ制御手段により追焚き循環回路に混入させた高濃度の酸素を追焚きアダプタより噴出させる酸素運転を行う際に、給湯装置が追い焚き運転を開始した場合には前記制御手段により数秒間酸素運転を停止する請求項１記載の酸素富化給湯装置。
【請求項４】
給湯装置が追い焚き運転を開始した後停止した場合には前記制御手段により数秒間酸素運転を停止する請求項１または請求項３に記載の酸素富化給湯装置。
【請求項５】
外部入力装置の酸素運転スイッチの入力をうけ制御手段により追焚き循環回路に混入させた高濃度の酸素を追焚きアダプタより噴出させる酸素運転を行う際に、給湯装置が自動スイッチ入力をうけ追い焚き運転を開始した場合には前記制御手段により数秒間酸素運転を停止する請求項１記載の酸素富化給湯装置。
【請求項６】
給湯装置が自動スイッチ入力をうけ追い焚き運転を開始した後停止した場合には前記制御手段により数秒間酸素運転を停止する請求項１記載または請求項５に記載の酸素富化給湯装置。
【発明の詳細な説明】
【技術分野】
【０００１】
本発明は、浴槽の湯を加熱し循環させる回路に、高濃度の酸素を混入し浴槽内の浴槽湯へ放出する酸素富化給湯装置に関するものである。
【背景技術】
【０００２】
従来の酸素富化装置は、ジェットバス等の浴槽湯循環回路の浴槽水に高濃度の酸素を供給するものがある（例えば特許文献１参照）。
【０００３】
図４は、前記公報に記載された従来の酸素富化装置を示すものである。図４に示すように、浴槽１の湯水を循環させるポンプ２と管路３に気体を供給する供給部４を設け、供給部４に酸素富化空気を供給する酸素富化装置５を設け、浴槽１には吸入口６と吐出口７を設けて構成される。
【特許文献１】特開平４−２３４７号公報
【発明の開示】
【発明が解決しようとする課題】
【０００４】
しかしながら上記特許文献１の従来の酸素供給装置では、ジェットバス等の浴槽湯を循環させる回路へ高濃度の酸素を供給する構成であるため、ジェットバス用の配管２の工事が必要で簡単に家庭に設置できなかった。さらに、浴槽の湯が高い酸素濃度の常温空気で冷却され湯温がたちまち低下する課題が生じる。
【０００５】
本発明は上記課題を解決するため、一般家庭で設置している追い焚き機能付き給湯装置の浴槽湯を循環する追い焚き循環回路に、給湯装置内部に設けた酸素富化装置から高濃度の酸素を混入させ、浴槽に取り付けられている追焚きアダプタより噴出させる構成とすることで、安価に取り付けでき、浴槽湯の追い焚きと酸素富化を同時に実現できる酸素富化給湯装置の提供を目的とする。
【課題を解決するための手段】
【０００６】
前記従来の課題を解決するために、本発明の酸素富化給湯装置は、給湯装置のポンプにより浴槽の湯が循環する追い焚き循環回路と、浴槽に設けた追い焚きアダプタと、給湯装置の内部で高濃度の酸素を供給する酸素富化装置と、酸素富化装置からの高濃度の酸素を追い焚き循環回路に混入させる混入手段と、酸素富化装置を制御する制御手段と、酸素運転を入力できる外部入力装置とを有し、外部入力装置の酸素運転スイッチの入力をうけ制御手段により追焚き循環回路に混入させた高濃度の酸素を追焚きアダプタより噴出させる酸素運転を行う構成としたものである。これによって、常に使用する追焚き装置に酸素富化装置他を追加し、外部入力装置のスイッチを押せば高濃度の酸素を簡単に得ることができる構成としたものである。
【０００７】
本発明によれば、追い焚き循環回路に酸素富化装置で高濃度にした酸素を混入するため、浴槽への配管を新たに設置することが不要で、追い焚き操作で高濃度酸素と浴槽湯を加熱しつつ循環させるため浴槽湯が冷却することがない。
【発明の効果】
【０００８】
追い焚き循環回路に酸素富化装置で高濃度にした酸素空気を混入するため、浴槽への配管を新たに設置することが不要であるため、安価に作成可能であるため、一般の家庭へ容易に設置できる。追い焚き操作で高濃度酸素と浴槽湯を加熱しつつ循環させるため浴槽湯が冷却することがない。この時各種運転モードで燃焼運転開始や停止したときに酸素運転を停止させることで、排気口からでた燃焼ガスのＮＯｘや臭気等を浴室内に導入することがないため快適に入浴できる。また、浴槽湯に高濃度の酸素を供給することで、入浴と高濃度酸素吸入によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【発明を実施するための最良の形態】
【０００９】
第１の発明における酸素富化給湯装置は、給湯装置のポンプにより浴槽の湯が循環する追い焚き循環回路と、浴槽に設けた追い焚きアダプタと、給湯装置内部で高濃度の酸素を供給する酸素富化装置と、酸素富化装置からの高濃度の酸素を追い焚き循環回路に混入させる混入手段と、酸素富化装置を制御する制御手段と、酸素運転を入力できる外部入力装置とを有し、制御手段により追焚き循環回路に混入させた高濃度の酸素を追焚きアダプタより噴出させる酸素運転を行う際に、給湯装置が給湯運転を開始した場合には制御手段により数秒間酸素運転を停止する構成としてある。
【００１０】
上記構成によって、外部入力装置の酸素運転スイッチを押すだけで、浴室外部の空気から酸素富化装置で高濃度にした酸素を追い焚き循環回路に混入できるが、給湯運転を開始した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１１】
第２の発明は、特に、第１の発明の酸素富化給湯装置が給湯運転を停止した場合に制御手段により数秒間酸素運転を停止することにより、給湯運転を停止した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１２】
第３の発明における酸素富化給湯装置は、第１の発明の酸素富化給湯装置が追い焚き運転を開始した場合に制御手段により数秒間酸素運転を停止することにより、追い焚き運転を停止した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１３】
第４の発明は、特に、第１の発明の酸素富化給湯装置が追い焚き運転を停止した場合に制御手段により数秒間酸素運転を停止することにより、追い焚き運転を停止した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１４】
第５の発明における酸素富化給湯装置は、第１の発明の酸素富化給湯装置が自動スイッチ入力をうけ追い焚き運転を開始した場合に制御手段により数秒間酸素運転を停止することにより、追い焚き運転を停止した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１５】
第６の発明は、特に、第１の発明の酸素富化給湯装置が自動スイッチ入力をうけ追い焚き運転を停止した場合に制御手段により数秒間酸素運転を停止することにより、追い焚き運転を停止した直後に給湯装置の排気口から多量に発生する窒素酸化物（ＮＯｘ）や臭気がごくまれに吸気口に入る排気リターン現象が起こった場合であっても、これらＮＯｘや臭気を浴室内に導入することを避けることができる。
【００１６】
以下本発明の実施の形態について、図面を参照しながら説明する。なお、本実施の形態によって本発明が限定されるものではない。
【００１７】
（実施の形態１）
図１は実施の形態１の酸素富化給湯装置におけるシステム全体構成図であり、図２は混入手段の断面構成図であり、図３は外部入力装置である浴室リモコン（図３（ａ））と台所リモコン（図３（ｂ））を示すものである。
【００１８】
給湯装置１０は給湯回路１１と追い焚き循環回路１２を有する１缶２水熱交換器１３と、１缶２水熱交換器１３を加熱するバーナ１４と、バーナ１４に燃焼空気を送るバーナファン１５と、燃焼空気を吸気する吸気口１６と排出する排気口１７を設けて構成される。給湯回路１１の水は熱交換器１３で加熱されてカラン１８等から吐出される。追焚き循環回路１２には、浴槽の水位を検出する水位検出手段１９と風呂ポンプ２０を設け、風呂ポンプ２０から出た浴槽湯の循環水は熱交換器１３の追い焚き循環回路１２で加熱された後、追い焚きアダプタ２１から浴槽２２に噴出する。ここで、給湯装置１０内部に設けた酸素富化装置２３は酸素富化膜２４と、送風ファン２５と、真空ポンプ２６と、混入手段であるエゼクタ２７と、制御手段２８で構成され、浴室２９外の空気から高濃度にした酸素富化空気を追い焚き循環回路１２へ混入する。酸素富化給湯装置２３は外部入力装置であるリモコン３０で制御される。リモコン３０には酸素運転スイッチ３１と、自動スイッチ３２、追い焚きスイッチ３３を備えている。
【００１９】
以上のように構成された酸素富化給湯装置について、以下その動作、作用を説明する。リモコン３０の酸素運転スイッチ３１を押すと、制御手段２８により水位検出装置１９が浴槽２２の湯を検出した場合には酸素運転を開始し、真空ポンプ２６で減圧されることで室外の空気が酸素富化膜２４を通過し、高濃度の酸素（約３０％）となり追い焚き循環回路１２に混入され、追い焚きアダプタ２１から循環された浴槽湯と共に浴槽２２へ噴出する。高濃度の酸素は気泡３４となって浴槽２２湯の中を通過し、その後浴室２９内に拡散する。この結果、入浴者は浴室２９内の空気から得られた高濃度の酸素を吸いながら入浴することが可能で、入浴と高濃度酸素吸入によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。ここで、酸素運転とは、酸素富化装置により高濃度の酸素を供給する工程を指している。
【００２０】
一方、カラン１８等を開き給湯運転を開始しバーナ１４が燃焼し始めたときには、安定燃焼に達する数秒間（２秒〜１０秒が実現的）、例えば５秒間は制御手段２８により酸素運転を停止する。これにより、ごくまれに発生する、燃焼量が小さく排気口１７から出た燃焼ガスが吸気口１６へ向かって逆流する風が吹いた場合に起こる排気リターン現象時でも、窒素酸化物（ＮＯｘ）や臭気を浴室２９内に導入することを避けることができ、臭いの発生の無い快適な酸素気泡入浴を楽しむことができる。
【００２１】
そして、追い焚き循環回路１２に酸素富化装置２３を設ける構成であるため、新たな配管を設ける必要が無く安価に作成可能であるため、一般の家庭へ容易に設置できるとともに、高濃度の酸素を供給することによる浴槽湯の温度低下を、追い焚き運転により加熱できる。
【００２２】
また、カラン１８等を閉め給湯運転を停止しバーナ１４が燃焼終了したときにも、ポストパージを完了する数秒間、例えば５秒間は制御手段２８により酸素運転を停止する。これにより、ごくまれに発生する、排気口１７から出た消化時の臭気が吸気口１６へ向かって逆流する風が吹いた場合に起こる排気リターン現象時でも、臭気を浴室２９内に導入することを避けることができ、臭いの発生の無い快適な酸素気泡入浴を楽しむことができる。
また、リモコン３０の追い焚きスイッチ３３の入力をうけ、追い焚き運転を開始しバーナ１４が燃焼開始したときには、安定燃焼に達する数秒間、例えば５秒間（２〜１０秒間が実用的）は制御手段２８により酸素運転を停止する。これにより、ごくまれに発生する、燃焼量が小さく排気口１７から出た燃焼ガスが吸気口１６へ向かって逆流する風が吹いた場合に起こる排気リターン現象時でも、窒素酸化物（ＮＯｘ）や臭気を浴室２９内に導入することを避けることができ、臭いの発生の無い快適な酸素気泡入浴を楽しむことができる。
【００２３】
また、追い焚き運転中にリモコン３０の追い焚きスイッチ３３の入力をうけた時や浴槽湯が設定湯温に到達した際に追い焚き運転を停止しバーナ１４が燃焼終了したときにも、ポストパージを完了する数秒間、例えば５秒間は制御手段２８により酸素運転を停止する。これにより、ごくまれに発生する、排気口１７から出た消化時の臭気が吸気口１６へ向かって逆流する風が吹いた場合に起こる排気リターン現象時でも、臭気を浴室２９内に導入することを避けることができ、臭いの発生の無い快適な酸素気泡入浴を楽しむことができる。
【００２４】
また、リモコン３０の自動スイッチ３２の入力をうけ、追い焚き運転を開始しバーナ１４が燃焼開始したときには、安定燃焼に達する数秒間、例えば２〜１０秒間は制御手段２８により酸素運転を停止する。これにより、ごくまれに発生する、燃焼量が小さく排気口１７から出た燃焼ガスが吸気口１６へ向かって逆流する風が吹いた場合に起こる排気リターン現象時でも、窒素酸化物（ＮＯｘ）や臭気を浴室２９内に導入することを避けることができ、臭いの発生の無い快適な酸素気泡入浴を楽しむことができる。
【００２５】
また、自動湯張り中や追い焚き運転中にリモコン３０の自動スイッチ３２の入力をうけた時に湯張り運転や追い焚き運転を停止しバーナ１４が燃焼終了したときにも、ポストパージを完了する数秒間、例えば２〜１０秒間は制御手段２８により酸素運転を停止する。これにより、ごくまれに発生する、排気口１７から出た消化時の臭気が吸気口１６へ向かって逆流する風が吹いた場合に起こる排気リターン現象時でも、臭気を浴室２９内に導入することを避けることができ、臭いの発生の無い快適な酸素気泡入浴を楽しむことができる。
【００２６】
なお、本発明の酸素富化給湯装置は、その熱源（加熱手段）がガス燃焼によるものに限らず、石油給湯器（石油燃焼を熱源としたもの）、電気給湯器、ヒートポンプ給湯器（ヒートポンプシステムを熱源としたもの）などにも利用可能である。
【産業上の利用可能性】
【００２７】
以上のように本発明に係る酸素富化給湯装置は、浴槽湯の追い焚きと酸素富化を同時に実現できる酸素富化給湯装置の実現が可能となるものである。
【図面の簡単な説明】
【００２８】
【図１】本発明の実施の形態１における酸素富化給湯装置の全体構成図
【図２】同、酸素富化給湯装置における混入手段の断面構成図
【図３】（ａ）同、酸素富化給湯装置の外部入力装置図（浴室リモコン）（ｂ）同、酸素富化給湯装置の外部入力装置図（台所リモコン）
【図４】従来の酸素富化装置の全体構成図
【符号の説明】
【００２９】
１０  給湯装置
１２  追い焚き循環回路
１８  ポンプ
２１  追い焚きアダプタ
２３  酸素富化装置
２７  混入手段
２８  制御手段
３０  外部入力装置
３１  酸素運転スイッチ
３２  自動スイッチ
３３  追い焚き運転スイッチ
【図１】
2005052467.tif 000003
【図２】
2005052467.tif 000004
【図４】
2005052467.tif 000005
【図３】
2005052467.tif 000006